(57)【要約】【課題】  換気装置の内部に侵入する塵埃や水を溜まりにくくして故障原因をなくすようにした空気調和機を提供する。【解決手段】  室内に設置される室内機と、屋外に設置される室外機とを壁穴を通して冷媒配管で接続するようにした空気調和機において、屋外に設置される換気用の室外ファン２０と、この室外ファン２０を収納するファンケース１３Ｂと、このファンケース１３Ｂに連通し前記壁穴を通して家屋の内外を連通する給排気管１６とを有する換気装置を備え、前記換気装置の屋外部分には、換気装置を覆う保護カバー２４を設け、この保護カバー２４の底面に開口部２６を設け、この開口部２６には、この開口部の底面積より小さい複数のシャッター板２９、２９・・、３３を互い違いに、かつ段違いに設けた。【選択図】      図３
2005083654.tif 000002
【特許請求の範囲】
【請求項１】
室内に設置される室内機と、屋外に設置される室外機とを壁穴を通して冷媒配管で接続するようにした空気調和機において、
屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分には、換気装置を覆う保護カバーを設け、この保護カバーの底面に開口部を設け、この開口部には、この開口部の底面積より小さい複数のシャッター板を互い違いに、かつ段違いに設けたことを特徴とする空気調和機。
【請求項２】
前記開口部には外気中の塵埃や異物の侵入を防ぐフィルターを設けたことを特徴とする請求項１に記載の空気調和機。
【請求項３】
前記保護カバー内に室内機と室外機を繋ぐ冷媒配管を通すようにしたことを特徴とする請求項１または２に記載の空気調和機。
【発明の詳細な説明】
【技術分野】
【０００１】
本発明は、室内空気を換気する換気装置を具備させて、より快適な室内環境を提供することができるように成した空気調和機に関する。
【背景技術】
【０００２】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来から空気調和機に換気装置を備えるものが提案されている。例えば、建物の壁に、空気調和機の室内機と室外機間の配管が通過する空間および換気通路を有する配管穴を形成し、換気用の室外ファン及びこれを駆動するためのファンモータを屋外でかつ換気通路の出口近傍に設けた換気装置（例えば、特許文献１参照）や、建物の壁に、空気調和機の室内機と室外機間の配管が通過する空間及び排気用・給気用換気通路を有する配管穴を形成し、ファンモーターの左右両軸に設けたシロッコファンのうち一方が排気用換気通路内に収容され、他方のシロッコファンが給気用換気通路に収容された送風機を内装した換気ユニットを室内機の近傍に設け、片方のシロッコファンの回転により室内空気を排気用換気通路から屋外へ排気し、同時に他方のシロッコファンの回転により外気を給気用換気通路から室内へ取り入れて換気を行うよう成した換気装置（例えば、特許文献２参照）である。
【特許文献１】特開２００１−２７４３３
【特許文献２】特許第２６２９６６５号公報
【発明の開示】
【発明が解決しようとする課題】
【０００４】
しかしながら、上述したような換気装置は、換気通路の空気取入口から取り入れられる空気とともに塵埃が侵入するため、換気通路内部に塵埃が溜まりやすくなっている。また換気装置の屋外側の部分から水分が入り込んで内部に溜まりカビの発生を招くおそれがあった。このため換気装置の故障の原因になるおそれがあった。
【０００５】
本発明は、上記の事情に鑑みなされたものであり、換気装置の内部に侵入する塵埃や水を溜まりにくくして故障原因をなくすようにした空気調和機を提供することを目的とする。
【課題を解決するための手段】
【０００６】
上記課題を解決するために、請求項１に記載の発明は、室内に設置される室内機と、屋外に設置される室外機とを壁穴を通して冷媒配管で接続するようにした空気調和機において、屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分には、換気装置を覆う保護カバーを設け、この保護カバーの底面に開口部を設け、この開口部には、この開口部の底面積より小さい複数のシャッター板を互い違いに、かつ段違いに設けたことを特徴とする。
【０００７】
請求項２に記載の発明は、請求項１に記載の空気調和機において、前記開口部には外気中の塵埃や異物の侵入を防ぐフィルターを設けたことを特徴とする。
【０００８】
請求項３に記載の発明は、請求項１または２に記載の空気調和機において、前記保護カバー内に室内機と室外機を繋ぐ冷媒配管を通すようにしたことを特徴とする。
【発明の効果】
【０００９】
本発明によれば、換気用の室外ファンを有する換気装置の屋外部分に、この屋外部分を覆う保護カバーを設け、この保護カバーの底面部に複数のシャッター板を互い違いに、かつ段違いに設けたことにより、保護カバーの上部から侵入した水分や塵埃がシャッターの隙間から落下して排出される。また底面部にシャッター板及びフィルターを設けたので、底面部から侵入する雨水や塵埃をシャッター板及びフィルターで防ぐので、保護カバーの内部に水分や塵埃が溜まるのを防ぐことができる。
【００１０】
また、室内機と室外機とを繋ぐ冷媒配管を前記保護カバー内に通し、かつ保護カバー内で換気装置の屋外部分と冷媒配管とを整理して配置するので、建物の壁面の外観を良くすることができる。
【実施例】
【００１１】
以下、本発明の一実施形態を図面に基づき説明する。図１は一部を省略（室内機の側面、建物の壁及び換気装置の外カバー）して示した空気調和機の斜視図、図２は保護カバーに外カバーを取り付けた斜視図、図３は図２の縦断面図、図４は図３の一部拡大図である。
【００１２】
図１において、室内機１は、吸込パネル２を有した前部ケース３と背面側の後部ケース４から成る本体ケース５を有し、該本体ケース５の下端部には吹出口（図示せず）が設けられると共に、この本体ケース５内に室内の空気を加熱／冷却する熱交換器６が配されている。熱交換器６は冷媒がそのフィンと直交しかつ蛇行させて配設した冷媒管７を通過することにより、冷房／除湿運転時に冷却器として機能し、暖房運転時には加熱器として機能するものである。
【００１３】
また本体ケース５の内部には、熱交換器６で取り囲まれるように循環ファン８が設けられ、該循環ファン８により室内の空気が吸込パネル２から吸い込まれ、熱交換器６で加熱／冷却されて冷風／温風が吹出口から再び室内に吹き出されて循環するものである。この他に、滴下するドレン水を溜め排出するために熱交換器６の下端部に設けられたドレンパン９や、熱交換器６と吸込パネル２との間に配されるエアフィルター（図示せず）、また吹出口に設けられた吹出方向を変更させる風向器（図示せず）などの構成部品を有する。さらに室外機（図示せず）の圧縮機の運転制御、及び前記循環ファン８のファンモータの駆動制御等を行うための電装部１１等が、本体ケース５の片側部に区画して内蔵されている。
【００１４】
前記室内機１と室外機とは冷媒配管１８で接続され、室外機に設けられた冷媒圧縮機、室外熱交換器及び減圧装置と、室内機１の熱交換器６との間を冷媒配管１８を介して冷媒が循環する冷凍サイクルが形成されている。冷媒配管１８は熱交換器６に接続され本体ケース５の右部から、後方に設けられる壁穴を通して屋外へと配管されている。またこの冷媒配管１８が配管されている箇所には、前記ドレンパン９に接続されドレン水を屋外に排出するドレンホースや、循環ファン８や風向器等を作動するための電源コードや、冷媒の温度や圧力あるいは室内温度等を検出し冷媒圧縮機の運転などをコントロールするための制御系の伝送ラインなどが保護管（図示せず）内に収納されて一緒に配管配線されている。
【００１５】
そして、空調運転時に、室外機の冷媒圧縮機および室内機１の循環ファン８が運転され、循環ファン８の回転により室内空気が吸込パネル２より室内機１に吸い込まれ熱交換器６で熱交換されて、冷気／暖気が下部の吹出口より室内に吹き出されて冷房／暖房の空調が行われる。
【００１６】
次に、換気装置について説明する。換気装置は室内機１の内部に排気用の室内ファンを設け、屋外に給気用の室外ファンを設けてそのいずれか一方の駆動にて、共用の給排気管を通じて給気又は排気を行い換気させるものである。
【００１７】
１２は、室内空気を室外（屋外）に排気して換気するための室内ファンで、室内機１内に収容されている。具体的には例えば熱交換器６の側面近傍等に配置されている。この室内ファン１２としてはシロッコファンを使用している。このシロッコファンと室内ファン１２の駆動用モータとが厚みの薄い略円筒形状の室内ファンケース１３Ａ内に収容される構造である。シロッコファンが回転すると、室内ファンケース１３Ａの片面側に開けた円形の吸込口１４Ａより室内空気が吸い込まれた、その後、室内ファンケース１３Ａの一端部に設けた吹出部１５ａより吹き出される。
【００１８】
一方２０は、屋外空気を室内に給気して換気するための室外ファンで、屋外の壁穴に臨む位置に設けられている。すなわち室内機１を取り付けている室内の壁（図示せず）の屋外側に配置している。この室外ファン２０にもシロッコファンを使用しており、先の室内ファン１２と同様に、シロッコファンが回転すると、室外ファンケース１３Ｂの片面側に開けた円形の吸込口１４Ｂより屋外空気が吸い込まれた後、室外ファンケース１３Ｂの一端部に設けた吹出部１５ｂより吹き出される。
【００１９】
１６は室内ファン１２により吸い込んだ室内空気を屋外に排気させ、また室外ファン２０にて吸い込んだ屋外空気を室内に給気するために設けられた１本の共用給排気管で、室内の壁を挿通して家屋の内外に存在するように配されている。この給排気管１６により家屋の内外を連通する給排気路が形成される。前記室内ファンケース１３Ａと室外ファンケース１３Ｂは、この１本の共用給排気管１６を介して繋がるようにその両端部に設けられている。すなわち給排気管１６の室内側開口端１７ａに繋がるように室内ファンケース１３Ａが設置され、また同管１６の室外側開口端１７ｂに繋がるように室外ファンケース１３Ｂが設置されている。室外ファンケース１３Ｂは前記給排気管１６の室外側開口端１７ｂにその吹出部１５が接続され、ぶら下がった格好で取り付けられている。
【００２０】
前記給排気管１６は室内機１左側からその背部へと出された後、室内機１の背面側に沿って出し口とは反対側へ向かって水平に延ばされ、その先端で直角に曲げられて屋外へと延出されている。
【００２１】
前記室内ファン１２と室外ファン２０は、どちらか一方を駆動するものとされており、同時に駆動するものとはなっていない。そこで室内ファン１２を単独で駆動したときには、室内ファン１２により室内空気がその吸込口１４Ａから吸い込まれ、給排気管１６を経て室外ファン２０の吸込口１４Ｂを吹出部として屋外に排気されることにより、換気が行われる。一方室外ファン２０を単独で駆動したときは、室外ファン２０により屋外空気がその吸込口１４Ｂから吸い込まれ給排気管１６を通じて室内ファン１２の吸込口１４Ａを吹出部として室内に吹き出されることにより、換気が行われる。このように、室内ファンケース１３Ａと室外ファンケース１３Ｂと両端部が繋がって設けられた１本の共用給排気管１６とにより換気装置が構成されている。
【００２２】
また、換気装置の屋外に露出する部分には、矩形状の箱型をした保護カバー２４を被せて保護している。保護カバー２４内部には室外ファンケース１３Ｂの取付部（図示せず）が設けられている。図１は保護カバーの外カバーを外して示し、図２は外カバーを取り付けて示している。
【００２３】
前記保護カバー２４の下部には、図３に示すように、角筒状の換気用の開口部２６を設け、この開口部２６にフィルター２７及びシャッター２８を配設している。フィルター２７は合成樹脂を格子状に成形しており、複数のスリット状の通気孔を有して吸い込まれる外気中の塵埃や異物を捕らえ内部に入らないような役目をしている。
【００２４】
また、シャッター２８はフィルター２７の下方に配され、図４に示すように、開口部２６の断面積より小さな複数の水平なシャッター板２９、２９・・を有している。シャッター板２９は上下３段になっており、上段に３枚のシャッター板２９、２９・・が開口部２６の前壁３１から後方の後壁３２近くまで延設され、各シャッター板２９間で左右に隙間をあけて配置されている。中段には上段のシャッター板２９、２９・・の左右の隙間を覆うように前壁３１から後方の後壁３２近くまで延設され、４枚のシャッター板２９、２９・・は、両端のシャッター板２９が左右の壁に当接して各シャッター板２９間で左右に隙間をあけて配置されている。下段には後壁３２から前方に延び上・中段のシャッター板２９より前後に短い１枚のシャッター板３３が設けられ、上・中段のシャッター板２９、２９・・の先端の隙間を覆うように配置されている。これら複数のシャッター板２９、２９・・、３３は、開口部２６を下方から見た場合に、開口部２６の横断面全体を覆うように配置されている。
【００２５】
このように開口部２６に底面積より小さい複数のシャッター板２９、２９・・、３３を互い違いに、かつ段違いに設けたことにより、換気装置の室外ファン２０を雨風や塵埃から保護し、また悪戯などで損傷されることのないようにし、さらに保護カバー２４内に侵入した塵埃や水分を下方へ排出して内部に溜まらないようにしている。また室外ファン２０が保護カバー２４で隠され露出していないので、外観的に良くすることもできる。
【００２６】
また、保護カバー２４には冷媒配管１８を上下に挿通するスペース（図３参照）が設けられており、保護カバー２４内を整理して内部に冷媒配管１８を通すようにしている。冷媒配管１８を通す場所を確保することにより、配管作業を容易にするとともに、冷媒配管１８及び冷媒配管１８を配管する壁面の外観を良くすることができる。
【００２７】
以上の実施例では保護カバー２４の開口部２６の上にフィルター２７、下にシャッター２８を設けているが、図５に示すように、上にシャッター、下にフィルターを配設するようにしても良い。図５は前述した実施例と別の実施例を示す保護カバーの一部拡大断面図であり、図４と同じ構成要素のものには同じ符合を付している。
【００２８】
図５において、保護カバー２４の下部には、角筒状の換気用の開口部２６を設け、この開口部２６にシャッター２８及びフィルター２７を配設している。シャッター２８は開口部２６の断面積より小さな複数の水平なシャッター板２９、２９・・を有し、シャッター板２９は上下２段になっている。上段には４枚のシャッター板２９、２９・・が開口部２６の前壁３１から後方の後壁３２近くまで延設され、左右両端のシャッター板２９が左右の壁に当接して各シャッター板２９間で左右に隙間をあけて配置されている。下段には３枚のシャッター板２９、２９・・が上段のシャッター板２９、２９・・の左右の隙間を覆うように前壁３１から後壁３２近くまで延設され、シャッター板２９の両側が左右に隙間をあけて配置されている。これら複数のシャッター板２９、２９・・は、開口部２６を下方から見た場合に、ほぼ開口部２６の横断面全体を覆うように配置されている。
【００２９】
以上、実施例に基づいて本発明を説明したが、本発明は、これに限定されるものではなく、要旨を逸脱しない範囲内で変形可能である。
【００３０】
また、本実施例では保護カバー２４の開口部２６に水平な板２９、３３を複数設けているが、水平でなく基部よりも先端部を傾斜させた板を設けても良い。
【図面の簡単な説明】
【００３１】
【図１】本発明の一実施形態における換気装置を備えた空気調和機の外観斜視図である。
【図２】保護カバーに外カバーを取り付けた斜視図である。
【図３】図２の縦断面図である。
【図４】図３の一部拡大図である。
【図５】別の実施例を示す保護カバーの一部拡大断面図である。
【符号の説明】
【００３２】
１  室内機
１２  室内ファン
１３Ａ  室内ファンケース
１３Ｂ  室外ファンケース
１４Ａ  吸込口
１４Ｂ  吸込口
１５ａ  吹出部
１５ｂ  吹出部
１６  給排気管（給排気路）
１７ａ  室内側開口端
１７ｂ  室外側開口端
１８  冷媒配管
２０  室外ファン
２４  保護カバー
２５  外カバー
２６  開口部
２７  フィルター
２８  シャッター
２９、３３  シャッター板
３１  前壁
３２  後壁
【図１】
2005083654.tif 000003
【図２】
2005083654.tif 000004
【図３】
2005083654.tif 000005
【図４】
2005083654.tif 000006
【図５】
2005083654.tif 000007